(57)【要約】  【課題】感熱記録時において、加熱により溶融した感熱記録材料の表面とサーマルヘッドとの間に生じる滑りに起因する感熱材料の搬送量の変動を抑制し記録長の変動のない良好な感熱記録を行う。  【解決手段】サーマルヘッドとプラテンローラとで感熱記録材料（感熱材料）を挟持しつつ、感熱材料を加熱して画像の記録を行う際に、記録する画像の濃度情報、画像記録を開始する直前のプラテンローラの温度、および装置内温度の少なくとも一つからプラテンローラの搬送速度を決定して、この決定した搬送速度で感熱材料を搬送する。【選択図】図１
2007030357.tif 000002
【特許請求の範囲】
【請求項１】
押圧手段を用いてサーマルヘッドを記録媒体に押圧しつつ、前記サーマルヘッドの記録素子の配列方向と直交する方向に前記記録媒体を搬送して記録を行う感熱記録方法であって、
記録画像、前記押圧手段の温度、および感熱記録を行う装置内部の温度の少なくとも一つから前記記録媒体の搬送速度を決定することを特徴とする感熱記録方法。
【請求項２】
押圧手段を用いてサーマルヘッドを記録媒体に押圧しつつ、サーマルヘッドの記録素子の配列方向と直交する方向に前記記録媒体を搬送して記録を行う感熱記録装置であって、
前記押圧手段の温度を検出する搬送温度検出手段および装置内部の温度を検出する環境温度検出手段の少なくとも一方と、
記録画像、前記押圧手段の温度、および前記装置内部の温度の少なくとも１つに応じて、前記記録媒体の搬送速度を決定する搬送速度決定手段とを有することを特徴とする感熱記録装置。
【発明の詳細な説明】
【技術分野】
【０００１】
本発明は、サーマルヘッドを用いて感熱記録材料に感熱記録を行う感熱記録方法および感熱記録装置に関する。
【背景技術】
【０００２】
従来、例えば超音波診断画像の記録に、フィルムや紙等の支持体の片面に感熱記録層を形成した感熱記録材料（以下、感熱材料とする）を用いる感熱記録が利用されている。感熱記録は湿式の現像処理が不要であり、取り扱いが簡単である等の利点を有することから、近年では、超音波診断のような小型の画像記録のみならず、ＣＴ診断やＭＲＩ診断やＸ線診断等の大型かつ高画質な画像が要求される用途において、医療診断のための画像記録への利用も検討されている。
【０００３】
周知のように、感熱記録は、感熱材料の感熱記録層を加熱して画像を記録する、発熱抵抗素子が一方向に配列されてなるグレーズを有するサーマルヘッドを用い、グレーズ（発熱抵抗素子）を感熱材料（感熱記録層）に若干押圧した状態で、両者をグレーズの延在方向と直交する方向に相対的に移動させつつ、グレーズの各発熱素子にエネルギーを印加して、記録画像に応じて感熱材料の感熱記録層を像様に加熱して画像記録を行う。
【発明の開示】
【発明が解決しようとする課題】
【０００４】
ところで、医療診断用の画像記録等に用いられる感熱材料としては、透明なポリエチレンテレフタレート（ＰＥＴ）フィルムなどのフィルムや紙等を支持体として、その一面に感熱記録層を形成して成るものが挙げられる。このような感熱材料を使用して上述の感熱記録を行う場合、画像記録時に加熱された感熱材料の表面が溶融する。
感熱記録では、例えば、プラテンローラでサーマルヘッドに感熱材料を押圧して、プラテンローラを回転させることにより、プラテンローラとサーマルヘッドとで感熱材料を挟持搬送しつつ、記録画像に応じてサーマルヘッドの発熱素子を発熱して画像を記録する。
ところが、前記感熱材料の溶融は、必ずしも一定ではなく、様々な要因によって変動する。その結果、サーマルヘッドと感熱材料との摩擦力が変動してしまい、これに起因して、サーマルヘッドと感熱材料との滑り量すなわち感熱材料の搬送量が変動し、画像の記録長が搬送方向に変動してしまうという問題があった。
【０００５】
本発明は、上記問題点に鑑みてなされたものであり、その目的とするところは、感熱材料の搬送量の変動に起因する画像の記録長の変動を抑制して、記録長の正確な感熱記録画像を安定して得ることができる感熱記録方法および感熱記録装置を提供することである。
【課題を解決するための手段】
【０００６】
上述した目的を達成するために、本発明は、押圧手段を用いてサーマルヘッドを記録媒体に押圧しつつ、前記サーマルヘッドの記録素子の配列方向と直交する方向に前記記録媒体を搬送して記録を行う感熱記録方法であって、記録画像、前記押圧手段の温度、および感熱記録を行う装置内部の温度の少なくとも一つから前記記録媒体の搬送速度を決定することを特徴とする感熱記録方法を提供する。
【０００７】
さらに、本発明は、押圧手段を用いてサーマルヘッドを記録媒体に押圧しつつ、サーマルヘッドの記録素子の配列方向と直交する方向に前記記録媒体を搬送して記録を行う感熱記録装置であって、前記押圧手段の温度を検出する搬送温度検出手段および装置内部の温度を検出する環境温度検出手段の少なくとも一方と、記録画像、前記押圧手段の温度、および前記装置内部の温度の少なくとも１つに応じて、前記記録媒体の搬送速度を決定する搬送速度決定手段とを有することを特徴とする感熱記録装置を提供する。
【発明の効果】
【０００８】
本発明は、記録画像、押圧手段の温度、および装置内温度の少なくとも一つに基づいて、感熱材料の搬送速度を決定して画像記録を行うことにより、画像記録時の感熱材料表面の溶融の変動等に起因して発生する感熱材料の搬送量の変動を抑制できるので、これによる記録長の変動を無くして、記録長が正確な感熱記録画像を安定して得ることができる。
【発明を実施するための最良の形態】
【０００９】
本発明の感熱記録方法および感熱記録装置について添付の図面を参照して説明する。
図１は、本発明の感熱記録装置の一実施形態を示す概略断面模式図である。また、図２は、本発明の感熱記録装置の記録部を示す概略図である。
【００１０】
以下、本発明の感熱記録方法を実施する感熱記録装置について、好適実施形態に基づいて説明する。
図１に示す感熱記録装置１０（以下、単に記録装置１０とする）は、例えばＢ４サイズ等の所定のサイズのカットシートである感熱材料Ａに感熱記録を行うものであり、感熱材料Ａが収容されたマガジン２４が装填される装填部１４、供給搬送部１６、サーマルヘッド６６によって感熱材料Ａに感熱記録を行う記録部２０、および排出部２２を有する。また、記録装置１０は、制御系として、プラテンローラ温度センサ９０、装置内温度センサ９２、駆動制御手段１００、速度決定手段１０２、およびプラテンローラ制御手段１０４を備える。
【００１１】
このような記録装置１０においては、供給搬送部１６によって記録部２０まで感熱材料Ａを搬送して、サーマルヘッド６６を感熱材料Ａに押圧しつつ、グレーズ６６ａの長手方向に感熱材料Ａを搬送して、記録画像に応じて各発熱素子を加熱することにより、感熱材料Ａに感熱記録を行う。
【００１２】
感熱材料Ａは、透明なポリエチレンテレフタレート（ＰＥＴ）フィルムなどのフィルムや紙等を支持体として、その一面に感熱記録層を形成して成るものである。このような感熱材料Ａは、通常、１００枚等の所定単位の積層体（束）とされて装体や帯等で包装されており、図示例においては、所定単位の束のまま感熱記録層を下面として記録装置１０のマガジン２４に収納され、一枚づつマガジン２４から取り出されて感熱記録に供される。
【００１３】
マガジン２４は、開閉自在な蓋体２６を有する筐体であり、感熱材料Ａを収納して記録装置１０の装填部１４に装填される。装填部１４は、記録装置１０のハウジング２８に形成された挿入口３０、案内板３２および案内ロール３４,３４、停止部材３６を有している。また、マガジン２４は、蓋体２６側を先にして挿入口３０から記録装置１０内に挿入され、案内板３２および案内ロール３４に案内されつつ、停止部材３６に当接する位置まで押し込まれることにより、記録装置１０の所定の位置に装填される。
【００１４】
供給搬送手段１６は、装填部１４に装填されたマガジン２４から感熱材料Ａを取り出して、記録部２０に搬送するものであり、吸引によって感熱材料Ａを吸着する吸盤４０を用いる枚葉機構、搬送手段４２、搬送ガイド４４、および搬送ガイド４４の出口に位置する規制ローラ対５２を有する。
【００１５】
搬送手段４２は、搬送ローラ４６と同軸プーリ４７ａ、回転駆動源に接続されるプーリ４６ｂならびにテンションプーリ４７ｃと、この３つのプーリに張架されるエンドレスベルト４８と、搬送ローラ４６に押圧されるニップローラ５０とを有し、吸盤４０によって枚葉された感熱材料Ａの先端を搬送ローラ４６とニップローラ５０とによって挟持して、感熱材料Ａを搬送する。
なお、搬送ガイド４４によって規定される搬送手段４２から規制ローラ対５２に至るまでの距離は、感熱材料Ａの搬送方向の長さより若干短く設定されている。
【００１６】
図２に記録部２０の概略図を示す。記録部２０は、サーマルヘッド６６、プラテンローラ６０、クリーニングローラ対５６、ガイド５８、サーマルヘッド６６を冷却する冷却ファン７６（図１参照）およびガイド６２を有する。
【００１７】
図２に示すサーマルヘッド６６は、例えば、最大Ｂ４サイズまでの感熱記録が可能な、約３００ｄｐｉの記録（画素）密度の感熱記録を行うものであって、感熱材料Ａへの感熱記録を行う発熱素子となる発熱抵抗体が多数一方向（図１および図２中紙面と垂直な長手方向）に配列されるグレーズ６６ａが形成されたアルミナセラミックス等の耐熱性に優れた電気絶縁材料からなるセラミック基板６６ｂと、セラミック基板６６ｂの、グレーズ６６ａと逆側の面に積層されているアルミニウム等の金属製板からなるベース６６ｄと、このベース６６ｄの他方の面に固定され、多数の放熱フィン（図３参照）を持つアルミニウム等の金属製のヒートシンク６６ｃとを有する。サーマルヘッド６６は、支点６８ａを中心に矢印ａ方向および逆方向に回動自在な支持部材６８に支持されている。
【００１８】
プラテンローラ６０は、感熱材料Ａを所定位置に保持しつつ回転し、主走査方向と直交する方向（図２中の矢印ｂ方向）に感熱材料Ａを搬送する。ここで、この搬送速度は、速度決定手段１０２によって決定される。また、プラテンローラ６０の駆動は、プラテンローラ制御手段１０４によって制御される。
クリーニングローラ対５６は、弾性体である粘着ゴムローラ５６ａと、通常のローラ５６ｂとからなるローラ対であり、粘着ゴムローラ５６ａが感熱材料Ａの感熱記録層に付着したゴミ等を除去して、グレーズ６６ａへのゴミの付着や、ゴミが画像記録に悪影響を与えることを防止する。
【００１９】
排出部２２は、ガイド６２と、搬送ローラ対６３と、トレイ７２と、ハウジングに形成された排出口７４とを備え、感熱記録が終了した感熱材料Ａを、搬送ローラ６２がガイド６２に沿ってトレイ７２まで搬送して、排出口７４を経て記録装置１０から排出される。
【００２０】
ここで、図１に示す記録装置１０の制御系について説明する。記録装置１０は、制御系として、プラテンローラ温度センサ９０と、装置内温度センサ９２と、駆動制御手段１００と、速度決定手段１０２と、プラテンローラ制御手段１０４とを備える。
【００２１】
プラテンローラ温度センサ９０は、プラテンローラ６０の表面温度を測定する温度センサである。また、装置内温度センサ９２は、記録装置１０内部の温度（以下、装置内温度とする）を測定する温度センサである。本発明においては、装置内温度センサ９２を用いて装置内温度を測定することにより感熱材料Ａの温度を知見している。図示例においては、一例として装置内温度センサ９２は、搬送ガイド４４の近傍に配置されているが、本発明はこれに限定されない。また、プラテン温度センサ９０および装置内温度センサ９２は、公知の温度センサを用いればよい。
【００２２】
駆動制御手段１００は、記録する画像の画像情報を受け、鮮鋭度補正処理（シャープネス強調処理）、階調補正、温度補正、シェーディング補正、黒比率補正等の所定の画像処理を施し、さらに、必要に応じてフォーマット（拡大・縮小、コマ割り当て）等を行って出力用（感熱材料Ａへの描画用）画像情報とした後、この出力用画像情報を駆動信号に変換してサーマルヘッド６６（セラミック基板６６ｂ）に送信する。また、駆動制御手段１００は、生成した出力用画像情報を速度決定手段１０２に送信する。
【００２３】
速度決定手段１０２は、駆動制御手段１００から送信された出力用画像情報、プラテンローラ温度センサ９０によるプラテンローラ６０の温度測定結果、および装置内温度センサ９２による装置内温度（感熱材料Ａの温度）測定結果から、次に行う感熱記録（今回送信された出力用画像情報による画像記録）における、プラテンローラ６０の搬送速度を決定する。また、速度決定手段１０２は、決定したプラテンローラ６０の搬送速度をプラテンローラ制御手段１０４に送信する。
【００２４】
プラテンローラ制御手段１０４は、速度決定手段１０２から送信された搬送速度に応じて、プラテンローラ６０の回転速度を設定し、プラテンローラ６０の回転動力源であるモータ（図示省略）をこの回転速度で駆動させる。なお、プラテンローラ６０の回転速度（すなわち感熱材料Ａの搬送速度）の設定（調整）は、モータの駆動パルスの設定やクロック周波数の設定によって行えばよい。
【００２５】
前述のように、感熱材料Ａの表面をサーマルヘッド６６で押圧して加熱する感熱記録を行うと、加熱された感熱材料Ａの表面が溶融する。また、感熱材料Ａ表面の溶融の程度（溶融量）は、主に感熱材料Ａの温度に応じて変動する。従来の感熱記録装置では、この溶融の変動により搬送量に変動が生じ、これにより記録長が変動することは既に述べた。例えば、搬送方向の長さが４００ｍｍの画像において、３ｍｍ程度の記録長の変動が生じる場合がある。
【００２６】
感熱材料Ａの溶融量は、感熱記録時に感熱材料Ａが有する熱量に応じて変動する。また、本発明者の検討によれば、感熱記録時に感熱材料Ａが有する熱量は、主に、記録する画像、プラテンローラ６０の温度、記録に供される感熱材料の温度に影響される。
本実施形態の記録装置１０は、上述したような感熱材料Ａの搬送量の変動を抑制し、これによる記録長の変動を無くして、記録長が正確な感熱記録画像を安定して得るために、出力用画像情報、プラテンローラ６０の温度、および装置内温度（感熱材料Ａの温度）の三つのパラメータを用いてプラテンローラ６０の搬送速度を決定して感熱記録を行う。
【００２７】
感熱記録においては、高濃度の画像を記録するほど、多くの熱量が必要である。従って、記録濃度が高いほど感熱材料Ａが受ける熱量が多くなり、その結果、溶融量が多くなり、すなわち搬送時の滑り量が多くなり、搬送長が長くなり、記録長が長くなる。逆に、画像濃度が低ければ、記録に要する熱量は少なくてよく、すなわち高濃度記録とは逆に、記録長は短くなる。
すなわち、記録する画像の濃度に応じて、プラテンローラ６０の搬送速度を調整することにより、記録長の変動を抑制することができる。
図示例においては、記録画像すなわち出力用画像情報から記録画像の濃度を知見し、速度調整用のパラメータの一つとして用いる。ここで、画像濃度としては、平均濃度、最大濃度、最小濃度、濃度ヒストグラムの形状等、各種のものが利用可能であるが、図示例においては好適な一例として、記録画像の平均濃度を用いる。
【００２８】
感熱記録時の感熱材料Ａは、プラテンローラ６０とサーマルヘッド６６とによって挟持搬送される。従って、感熱記録時に感熱材料Ａの受ける熱量は、プラテンローラ６０の温度（以下プラテン温度とする）の影響を受ける。プラテン温度が高温であれば、溶融量が増して記録長が長くなり、逆にプラテン温度が低温であれば、記録長が短くなる。ところが、プラテン温度は、例えば、記録装置１０の稼動状態や、先に記録した画像によって変動する。例えば、時間を空けて感熱記録を行う場合にはプラテン温度は低く、連続的に感熱記録を行う場合には高くなる。また、前に感熱記録を行った画像の濃度が高ければプラテン温度は高温になり、低濃度であればプラテン温度は低温になる。従って、プラテン温度を測定して、プラテン温度に応じてプラテンローラ６０の搬送速度を調整することにより記録長の変動を抑制することができる。
【００２９】
さらに、感熱記録時に感熱材料Ａが有する熱量は、当然のことであるが、感熱材料Ａ自身の温度にも影響され、感熱材料Ａの温度が高ければ、自身が有する熱量が高いので溶融量が増えて記録長が長くなり、温度が低ければ、記録長は短くなる。また、プラテン温度と同様、感熱記録に供される感熱材料Ａの温度も、記録装置１０の稼動状態等に影響を受ける。
従って、感熱材料Ａの温度を測定して、この温度に応じてプラテンローラ６０の搬送速度を調整することにより、同様に、記録長の変動を抑制することができる。なお、感熱材料Ａの温度は、通常、装置の内部温度と同様であるので、本発明においては、装置の内部温度を測定することで、感熱材料Ａの温度を知見している。
【００３０】
速度決定手段１０２には、予め、実験やシミュレーション等により作成したのち、平均濃度、プラテン温度、および、装置内温度と、記録長を適正にできる最適な搬送速度との関係を示す三次元ＬＵＴが記憶されている。あるいは、三次元ＬＵＴにかえて、この三つをパラメータとして、最適な搬送速度を算出する演算式をもちいてもよい。
速度決定手段１０２は、駆動制御手段１００から送信された出力用画像情報から画像の平均濃度を算出し、この平均濃度を、プラテンローラ温度センサ９０によるプラテン温度測定結果、および装置内温度センサ９２による装置内温度（感熱材料Ａの温度）測定結果から、上記三次元ＬＵＴを用いてプラテンローラ６０の搬送速度を決定し、プラテンローラ制御手段１０４に送る。プラテンローラ制御手段１０４は、前述のように、この搬送速度からプラテンローラ６０の回転速度を設定し、これに応じてプラテンローラ６０の駆動源であるモータを駆動する。
【００３１】
ところで、図示例の記録装置１０は、本発明の好適実施形態として、三つのパラメータを用いてプラテンローラ６０の搬送速度を決定するものであるが、本発明の記録装置１０はこれに限定されず、上記三つのパラメータの少なくとも一つからプラテンローラ６０の搬送速度を決定するように構成すればよい。
【００３２】
記録画像、プラテン温度、および、装置内温度の一つのみを用いて感熱材料Ａの搬送速度を決定する場合には、記録画像もしくはプラテン温度を用いるのが好ましい。また、搬送速度の決定方法には特に限定はなく、予め作成した、最適な搬送速度とパラメータとの関係を示すＬＵＴを用いる方法や演算式を用いる方法等、公知の方法によればよい。
また、記録画像、プラテン温度、および、装置内温度の二つを用いて感熱材料Ａの速度を決定する際には、何れの組み合わせでもよいが、好ましくは、記録画像とプラテン温度とを組合せて用いる。なお、二つのパラメータを用いた搬送速度の決定方法にも、特に限定はなく、同様に、ＬＵＴを用いる方法や演算式を用いる方法等、公知の方法が各種利用可能である。また、二つのパラメータを用いる場合には、それぞれに記録長の変動に与える影響の大きさ等に応じた重み付けを行ってもよい。
【００３３】
また、本発明においては、感熱材料Ａの搬送速度は、記録画像、プラテン温度、および、装置内温度の少なくとも一つに加え、感熱材料Ａの種類も加味して決定してもよい。
感熱材料Ａの種類によっては、加熱による溶融の程度が異なり、また、厚さも異なるので、記録画像、プラテン温度、および、装置内温度が同等でも、前記溶融の変動に起因する記録長の変動量が異なる場合もある。従って、記録画像、プラテン温度、および、装置内温度の少なくとも一つに加え、感熱材料Ａの種類も加味して搬送速度を決定することにより、より安定して記録長を正確にすることが出来る。
【００３４】
本発明においては、記録中にプラテン温度や装置内温度を測定して、サーマルヘッド６６の一ライン毎の記録画像、プラテンローラ６０や装置内温度の温度変動に応じて、記録中に、適宜、搬送速度を調整するようにしてもよい。しかしながら、記録中に感熱材料Ａの搬送速度を変更すると、画像の縮率の変動が生じ、また、これを補正するための画像処理演算の量が、膨大になってしまう等の問題がある。
そのため、図示例の記録装置１０においては、好ましい態様として、感熱記録に先立って、装置内温度およびプラテン温度を測定し、さらに、平均濃度を算出して、搬送速度を決定し、決定した速度で一定として感熱材料Ａを搬送しつつ、感熱記録を行う。
記録装置１０は基本的に以上のような構成を有する。
【００３５】
以下、記録装置１０の作用について詳細に説明する。
記録装置１０において、画像情報が送信された駆動制御装置１００は、画像情報に各種処理を施して出力用画像情報を生成し、この出力用画像情報を速度決定手段１０２に送信する。速度決定手段１０２は、出力用画像情報からこの画像の平均濃度を算出し、記録開始の指示が出されたら、平気濃度、プラテンローラ温度センサ９０によるプラテンローラ６０の温度測定結果、および装置内温度センサ９２による装置内温度（感熱材料Ａの温度）測定結果から、前記三次元ＬＵＴを用いて、次に行う感熱記録（すなわち、送られた出力用画像情報による感熱記録）におけるプラテンローラ６０の搬送速度を決定する。また、速度決定手段１０２は、決定したプラテンローラ６０の搬送速度をプラテンローラ制御手段１０４に送信する。
【００３６】
記録開始の指示が出されると、上記作用と並行して、図示しない開閉機構によって蓋体２６が開放され、吸盤４０を用いた枚葉機構がマガジン２４から感熱材料Ａを一枚取り出し、感熱材料Ａの先端を搬送手段４２（搬送ローラ４６とニップローラ５０）に供給する。搬送ローラ４６とニップローラ５０とによって感熱材料Ａが挟持された時点で、吸盤４０による吸引は開放され、供給された感熱材料Ａは、搬送ガイド４４によって案内されつつ搬送手段４２によって規制ローラ対５２に搬送される。
なお、記録に供される感熱材料Ａがマガジン２４から完全に排出された時点で、前記開閉手段によって蓋体２６が閉塞される。
【００３７】
搬送手段４２による搬送で感熱材料Ａの先端が規制ローラ対５２に至るが、規制ローラ対５２は最初は停止しており、感熱材料Ａの先端はここで一旦停止して位置決めされる。
この感熱材料Ａの先端が規制ローラ対５２に至った時点で、サーマルヘッド６６（グレーズ６６ａ）の温度が確認され、サーマルヘッド６６の温度が所定温度であれば、プラテンローラ制御手段１０４は、決定した搬送速度に応じてプラテンローラ６０の回転速度を設定し、プラテンローラ６０の回転動力源であるモータ（図示省略）をこの回転速度で駆動させる。
【００３８】
規制ローラ対５２による感熱材料Ａの搬送が開始され、感熱材料Ａは、記録部２０に搬送される。図示例の記録装置１０において、感熱材料Ａが搬送される前は、支持部材６８は上方（矢印ａ方向と逆の方向）に回動しており、サーマルヘッド６６（グレーズ６６ａ）とプラテンローラ６０とは接触していない。
【００３９】
前述の規制ローラ対５２による搬送が開始されると、感熱材料Ａは、次いでクリーニングローラ対５６に挟持され、さらに、ガイド５８によって案内されつつ搬送される。感熱材料Ａの先端が記録開始位置（グレーズ６６ａに対応する位置）に搬送されると、支持部材６８が矢印ａ方向に回動して、感熱材料Ａがサーマルヘッド６６のグレーズ６６ａとプラテンローラ６０とで挟持されて、記録層にグレーズ６６ａが押圧された状態となり、感熱材料Ａはプラテンローラ６０によって所定位置に保持されつつ、プラテンローラ６０（および規制ローラ対５２と搬送ローラ対６３）によって矢印ｂ方向に搬送される。
この搬送に伴い、記録画像に応じてグレーズ６６ａの各発熱抵抗素子を加熱することにより、感熱材料Ａに感熱記録が行われる。
【００４０】
感熱記録が終了した感熱材料Ａは、ガイド６２に案内されつつ、プラテンローラ６０および搬送ローラ対６３に搬送されて排出部２２のトレイ７２に排出される。トレイ７２は、ハウジング２８に形成された排出口７４を経て記録装置１０の外部に突出しており、画像が記録された感熱材料Ａは、この排出口７４を経て外部に排出され、取り出される。
【００４１】
上述したように、本発明の感熱記録方法および感熱記録装置によれば、画像記録時における感熱材料の搬送方向の画像の滑りを考慮して、記録画像、プラテン温度、および装置内温度の少なくとも一つからプラテンローラの搬送速度を決定して感熱記録を行うことにより、搬送方向の記録長の変動の無い、記録長が正確な感熱記録画像を安定して得ることができる。
【００４２】
本発明は基本的に上述したようなものであるが、上記実施形態に限定されるものでなく、本発明の要旨を逸脱しない範囲において、各種の改良および変更を行ってもよいのはもちろんである。
【図面の簡単な説明】
【００４３】
【図１】本発明の感熱記録装置の一実施形態を示す概略断面模式図である。
【図２】本発明の感熱記録装置の記録部を示す概略図である。
【符号の説明】
【００４４】
１０  （感熱画像）記録装置
１４  装填部
１６  供給搬送手段
２０  記録部
２２  排出部
２４  マガジン
２６  蓋体
２８  ハウジング
３０  挿入口
３２  案内板
３４  案内ロール
３６  停止部材
４０  吸盤
４２  搬送手段
４４  搬送ガイド
４８  エンドレスベルト
５０  ニップローラ
５２  規制ローラ対
５６  クリーニングローラ対
５８，６２  ガイド
６０  プラテンローラ
６３  搬送ローラ対
６６  サーマルヘッド
６６ａ  グレーズ
６６ｂ  セラミック基板
６６ｃ  ヒートシンク
６６ｄ  ベース
６８  支持部材
７２  トレイ
７４  排出口
７６  冷却ファン
９０  プラテンローラ温度センサ
９２  装置内温度センサ
１００  駆動制御手段
１０２  速度決定手段
１０４  プラテンローラ制御手段
【図１】
2007030357.tif 000003
【図２】
2007030357.tif 000004